(57)【要約】      （修正有）【課題】サイド面を全開し、内容物を取り出しやすく、積み重ね容易なラップアラウンドケースを提供する。【解決手段】相対するサイドパネル４等の少なくとも一つに、４隅に略三角形の切り残し部１３を設けるように、立面パネルとの境界の稜線に沿って切断誘導線１２を形成し、かつ前記サイドパネルとそれに連接した内フラップに引裂帯１０を設ける。【選択図】図３
0003153358.tif 000002
【実用新案登録請求の範囲】
【請求項１】
一対の立面パネルと一対のサイドパネルを連設して商品を包み込み、サイドパネルから延びる内フラップに、立面パネルから延びる外フラップを貼り合わせて封緘するラップアラウンドケースにおいて、
前記サイドパネルの少なくとも一つに、４隅に略三角形の切り残し部１３を設けるように、立面パネルとの境界の稜線に沿って切断誘導線を形成し、かつ前記サイドパネルとそれに連接した内フラップに、引裂帯を設けたことを特徴とするサイド開封ケース。
【請求項２】
引裂帯がH字型切込を有するライナーカットテープであることが特徴である請求項１に記載のサイド開封ケース。
【考案の詳細な説明】
【技術分野】
【０００１】
この考案は、ケースを横置きし、サイドを全面開封してもケースの積み重ねが行えるラップアラウンド式包装ケースに係るものである。
【背景技術】
【０００２】
缶入り飲料や食品等をまとめて輸送保管をするには、ラップアラウンドケースと呼ばれている段ボール製のカートンに収容して包装し輸送することが行われている。
【０００３】
ラップアラウンドケースは、一般に端壁を構成するフラップを開くことにより開封し、或いはケースの天面又は側面に設けたカットテープ等の開封手段によりケースを開封して内容物を取り出すことができるものとなっている。
【０００４】
開封後は、ケースから内容物を一挙に全部取り出すのではなく、必要量だけ取り出し、残りはケースに残しておくという使い方をすることがあった。
そのためにはラップアラウンドケースは、内容物の取出しが容易であるだけなく、ケースを積み重ねておくことができることが要請されている。
【先行技術文献】
【特許文献】
【０００５】
【特許文献１】特開２００７−２１７０２９号公報
【特許文献２】実開平０７−９７２１号公報
【特許文献３】実開平０７−３３８２９号公報
【考案の概要】
【考案が解決しようとする課題】
【０００６】
そこで本考案は、内容物を取り出す時にフラップを開かずにケースを横置きにしてケースサイドを全面開封し、内容物の取り出しが容易にできるようにすると共に、開封後は、サイド面の４隅に三角部を残すことにより、積み重ねも容易に行えるようにしたものである。
【課題を解決するための手段】
【０００７】
上記課題を解決するため、この考案は、
一対の立面パネルと一対のサイドパネルを連設して商品を包み込み、サイドパネルから延びる内フラップに、立面パネルから延びる外フラップを貼り合わせて封緘するラップアラウンドケースにおいて、
前記サイドパネルの少なくとも一つに、４隅に略三角形の切り残し部を設けるように、立面パネルとの境界の稜線に沿って切断誘導線を形成し、かつ前記サイドパネルとそれに連接した内フラップに、引裂帯を設けたことを特徴とするものである。
また、引裂帯がH字型切込を有するライナーカットテープであることが特徴である。
【考案の効果】
【０００８】
この考案のラップアラウンドケースは、商品を取り出す際、ケースを横置きにしてケースサイド面を切離すことで開封することができる。
またサイド面は間口が広いこととフラップがないので内容物の取出しが容易であり、必要量だけ取り出し、残りはケースに残しておくことができる。
又、サイド面の４隅には、三角の切り残しコーナがあるので、ケースを積み重ねることができるものである。また本考案は、通常のラップラウンドケースと同等のコストでラップラウンド製函機により製造が可能である。
【図面の簡単な説明】
【０００９】
【図１】本考案のラップアラウンドケースの展開図である。
【図２】組み立て状態の斜視図である。段ボールを材料として形成されたブランクの
【図３】図１のケースのカットテープの切離し状態を説明する斜視図である。
【図４】開封状態の斜視図である。
【考案を実施するための形態】
【００１０】
以下、図面を参照して本考案の実施の形態を説明する。
図１に示すようにこのブランクは、各一対の立面パネル１、３と一対のサイドパネル２、４により周壁を形成して商品を包み込み、サイドパネルから延びる内フラップ７、９に、立面パネルから延びる外フラップ６、８を貼り合わせて開口部を閉じて封緘するラップラウンド式のものとなっている。
【００１１】
なおサイドパネル２、４には、内フラップ７、９に到る開封用引裂帯１０を設け、このサイドパネルの中央位置に引裂き帯の開封時の始端となる略Ｈ字型をした切込み１１を設ける。因みに引裂帯１０は、段ボールの裏側のライナーにカットテープを付設したものでもよく、また平行な不連続な切れ目線により形成されたるものなどで構成されていてもよい。
【００１２】
両サイドパネル２、４のうちの一方には、４隅に略三角形の切り残し部を設けるように、立面パネルとの境界の稜線に沿い切断誘導線１２が設けられている。この切断誘導線１２により、商品を取り出す際、ケースを横置きにしてケースサイド面を切離すことで開封することができるようになっている。すなわち店頭販売時または商品を取り出すときには、図３の（1）（2）に示すように、外フラップに固着されている内フラップ９から覗いている引裂帯１０を引っ張って切断誘導線１２に沿ってケースのサイド面を開封するのである。
【００１３】
いずれの場合も、商品を取り出す際、ケースを横置きにしてケースサイド面を開封することができる。サイド面は間口が広いこととフラップがないので内容物の取出しが容易であり、必要量だけ取り出し、残りはケースに残しておくことができる。
そのうえこのケースの４隅には、三角の切り残しコーナ１３があるので、これを利用しケースを積み重ねることが容易である（図4）。
【００１４】
前述のようにルートセールス時において、自動販売機に不足している商品（缶容器）をカートンから取り出す場合は、直立させたカートンの一般に端壁を構成するフラップを開くことにより開封し、或いはケースの天面又は側面に設けたカットテープ等の開封手段によりケースを開封して内容物を取り出すことが行われている。
しかし、本考案は内容物を取り出す時にフラップを開かずにケースを横置きにしてケースサイドを全面開封し、内容物の取り出しが容易にできるようにすると共に、開封後は、サイド面の４隅に三角部１３を切り残すことにより、積み重ねも容易に行えるようにしたものである。ケースサイド面は間口が広いこととフラップがないので内容物の取出しが容易であり、必要量だけ取り出し、残りはケースに残しておくことができる。
そしてケースは、図4のように、サイド面の４隅には、三角の切り残しコーナ１３があるので、ケースを積み重ねることが容易である。
【００１５】
従って、本考案のラップアラウンドケースは、自動販売機へのルートセールス作業時の作業効率を向上させることができものである。
【符号の説明】
【００１６】
１、３  立面パネル
２、４  サイドパネル
５  継代
６、８  外フラップ
７，９  内フラップ
１０  引裂帯
１１  切れ目
１２  切断誘導線
１３  切り残し三角コーナ
【図１】
0003153358.tif 000003
【図２】
0003153358.tif 000004
【図３】
0003153358.tif 000005
【図４】
0003153358.tif 000006